(57)【特許請求の範囲】
【請求項１】
複数の固形処理剤を投入するユニット化した処理剤投入部を備え、この処理剤投入部に複数の固形処理剤を収納した収納容器を装填可能に構成し、前記処理剤投入部から固形処理剤を処理液槽に投入して溶解し処理液の補充を行う感光材料処理用固形処理剤補給装置であり、前記補給装置は、前記処理剤投入部のハウジングに固定され前記収納容器の処理剤投入側を保持する投入側装填ユニットと、前記ハウジングに固定され収納容器の処理剤非投入側を保持して前記処理剤投入側へ付勢する押圧側装填ユニットとを有し、かつ前記押圧側装填ユニットに、ガイド溝部と、このガイド溝部に連続して回転可能に保持する保持凹部とを設け、所定の収納容器の処理剤非投入側の両側部に突出して設けられた支持ピンのみが前記ガイド溝部から保持凹部に装填可能に構成したことを特徴とする感光材料処理用固形処理剤補給装置。
【請求項２】
前記押圧側装填ユニットに、前記収納容器の処理剤投入側を投入側へ付勢するセット方向付勢手段を備えたことを特徴とする請求項１に記載の感光材料処理用固形処理剤補給装置。
【請求項３】
前記投入側装填ユニットに、前記収納容器のそれぞれの投入開口部に対向して固形処理剤を投入するガイド口を有する投入ガイド開口部を設け、この投入ガイド開口部のガイド口の周辺を覆う収納容器パッキンを設けたことを特徴とする請求項１又は２に記載の感光材料処理用固形処理剤補給装置。
【発明の詳細な説明】
【０００１】
【発明の属する技術分野】
本発明は、感光材料を処理する感光材料処理装置の複数の処理液槽に、収納容器内に収容された異なる種類の固形処理剤を各対応する処理液槽に所定量投下して補給する感光材料処理用固形処理剤補給装置に関する。
【０００２】
【従来の技術】
ハロゲン化銀写真感光材料（以下感光材料とも称す）は、露光後に、現像液、漂白液、定着液、安定化液等の処理液による処理工程により処理される。この処理は通常自動現像機で行われ、その場合は補充液補充方式が一般に用いられ、処理槽内の各処理液の活性度を一定に保つようにコントロールされている。
【０００３】
補充液補充方式の場合、感光材料からの溶出物による処理液の希釈、蒸発量の補充および消費成分の補充を目的としており、液体補充の結果、通常オーバーフロー液が多量に排出されている。
【０００４】
感光材料の処理を商業的に実施するには、コストおよび人手作業の軽減、公害負荷の低減、処理装置のコンパクト化、更には商品価値の向上のため、できるだけ少量の処理液で、安定かつ優れた処理性能を得ることが要求される。
【０００５】
この要望に応える方法として、ＷＯ９２／２００１３号公報には、殆ど全ての処理剤成分を固形処理剤化し、直接処理槽に投入する方法が開示されている。
【０００６】
しかし、この方法では、感光材料の処理量を検知して、複数の各処理槽内の処理液に、所定量の異なる固形処理剤を個々に制御して補充しているため、各固形処理剤の投入量、投入タイミングを制御する制御装置が複雑になり、故障する確率が上がり、さらに装置の大きさも大きくなってしまうという問題がある。また複数の収納容器内に収容された異なる各固形処理剤の消費量が著しく異なるため、収納容器内の固形処理剤残量に差異があり、各収納容器を個別に消費済み毎に交換する保守操作が煩わしくなる。従ってこれらの問題を解決する固形処理剤補給装置の技術開発が急務である。
【０００７】
【発明が解決しようとする課題】
この発明は、下記の問題点を解消することを目的とするものである。
【０００８】
・従来は収納容器を装填するときに上ユニットが回動するために、耐久性がない。
【０００９】
・収納容器の装填時に、収納容器開口部と装着部との密着性が損なわれないようにする必要がある。
【００１０】
・ネガフィルム用とペーパー用の収納容器の誤装填、あるいは装填方向の誤挿入を簡単な構造で防止する必要がある。
【００１１】
・処理液槽側からのガスが収納容器内に侵入すると、固形処理剤が膨潤する等の問題がある。
【００１２】
・収納容器の装填時に、収納容器開口部から外気が侵入して、収納容器内の固形処理剤が膨潤する。
【００１３】
【課題を解決するための手段】
上記目的を達成する本発明の感光材料処理用固形処理剤補給装置は、複数の固形処理剤を投入するユニット化した処理剤投入部を備え、この処理剤投入部に複数の固形処理剤を収納した収納容器を装填可能に構成し、前記処理剤投入部から固形処理剤を処理液槽に投入して溶解し処理液の補充を行う感光材料処理用固形処理剤補給装置であり、前記補給装置は、前記処理剤投入部のハウジングに固定され前記収納容器の処理剤投入側を保持する投入側装填ユニットと、前記ハウジングに固定され収納容器の処理剤非投入側を保持して前記処理剤投入側へ付勢する押圧側装填ユニットとを有し、かつ前記押圧側装填ユニットに、ガイド溝部と、このガイド溝部に連続して回転可能に保持する保持凹部とを設け、所定の収納容器の処理剤非投入側の両側部に突出して設けられた支持ピンのみが前記ガイド溝部から保持凹部に装填可能に構成したことを特徴とするものである（請求項１）。
【００１４】
また、本発明の感光材料処理用固形処理剤補給装置は、前記押圧側装填ユニットに、前記収納容器の処理剤投入側を投入側へ付勢するセット方向付勢手段を備えたことを特徴とするものである（請求項２）。
【００１７】
さらに、本発明の感光材料処理用固形処理剤補給装置は、前記投入側装填ユニットに、前記収納容器のそれぞれの投入開口部に対向して固形処理剤を投入するガイド口を有する投入ガイド開口部を設け、この投入ガイド開口部のガイド口の周辺を覆う収納容器パッキンを設けたことを特徴とするものである（請求項３）。
【００１９】
【発明の実施の形態】
次に、本発明の一実施形態を添付図面に基づいて説明するが、本発明は、これに限定されるものではない。
【００２０】
本発明の自動現像機（以下、単に自現機ともいう）の一例を図面に基づいて説明する。図１（ａ）は、自現機ＡＰと写真焼付機Ｂとを一体的に構成したハロゲン化銀写真感光材料処理装置（プリンタープロセッサ）の正面側全体構成図である。
【００２１】
図１（ａ）において、写真焼付機Ｂの左下部には、未露光のハロゲン化銀写真感光材料である印画紙（カラーペーパー）をロール状に収納したマガジンＭａがセットされる。マガジンＭａ内の印画紙は、送りローラＲ１により所定長さが引き出され、カッター部Ｃｔにより所定のサイズに切断され、シート状印画紙ｐとなる。このシート状印画紙ｐは、送りローラＲ２によって搬送され、回動する搬送ベルトＢｅ及び搬送ベルトＢｅの下方に設けられているバキューム手段Ｖに吸引されながら露光位置まで移動し、停止、待機する。
【００２２】
ネガキャリアＮｅ上にセットされたネガフィルムに対して光源部Ｌａ、レンズＬｅ、シャッタＳｔにより、原画の画像を露光される。露光が終了すると、シート状印画紙ｐは搬送ベルトＢｅにより再び搬送され、さらに送りローラＲ３，Ｒ４及び複数対の送りローラＲ５により搬送され、自現機ＡＰ内に導入される。
【００２３】
自現機ＡＰでは、シート状印画紙ｐは、処理液槽であるそれぞれ発色現像槽１Ａ、漂白定着槽１Ｂ、安定槽１Ｃ，１Ｄ，１Ｅ内（実質的に３槽構成の処理槽１）をローラ搬送手段（参照記号ナシ）により順次搬送され、それぞれ、発色現像処理、漂白定着処理、安定化処理がなされる。前記各処理がなされたシート状印画紙ｐは、乾燥部６において乾燥されて機外に排出される。
【００２４】
また、シート状印画紙ｐはカットされた状態で自現機ＡＰ内に導かれるものであるが、帯状で自現機ＡＰ内に導かれるものであってもよい。
【００２５】
また、本願発明に係る自現機ＡＰは、写真焼付機Ｂと一体的に構成しても、自現機ＡＰ単体だけでもよいことは言うまでもない。また、本発明の説明として、発色現像槽１Ａ、漂白定着槽１Ｂ、安定槽１Ｃ，１Ｄ，１Ｅを有する実質的に３槽構成の処理槽１を有する自現機ＡＰについて行うが、これに限られるものではなく、露光済みのネガフィルムを処理する発色現像槽、漂白槽、定着槽、安定槽を有する実質的に４槽または、それ以上の処理槽を有する構成の自現機であっても本発明は適用できるものである。
【００２６】
図１（ｂ）は自現機ＡＰの平面構成図である。上記発色現像槽１Ａ、漂白定着槽１Ｂ、安定槽１Ｅの各処理槽には、補助タンク２Ａ，２Ｂ，２Ｃ，２Ｄ，２Ｅが連設されている。該補助タンク２Ａ，２Ｂ，２Ｅには、固形処理剤補給装置（以下、補給装置と称す）３０から固形処理剤が供給される。４０は、前記補給装置３０に着脱可能に装着する固形処理剤収納容器（カートリッジ、以下、収納容器と称す）である。
【００２７】
５１は、前記発色現像槽１Ａ、安定槽１Ｅに補充水を供給する補充水タンクである。
【００２８】
図２（ａ）はシート状印画紙現像処理用の自現機ＡＰの構成図である。自現機ＡＰでは、シート状印画紙ｐは、発色現像槽１Ａ、漂白定着槽１Ｂ、安定槽１Ｃ，１Ｄ，１Ｅ内の各処理液（ＣＤ，ＢＦ，ＳＲ１〜３）により処理されたのち乾燥部６で乾燥される。液面レベルとして漂白定着槽１Ｂに対し、安定槽１Ｃ，１Ｄ，１Ｅが順次高くなっている。従って１Ｅからのオーバーフロー液は重力により１Ｄ，１Ｃ，１Ｂと流れこむような構造（カウンターカレント方式）となっている。５１は補充水タンク、５２は給水ポンプ、５３は送水管、５４は補充水供給制御手段である。５６は印画紙の処理量を検知する処理量情報検出手段、５７は前記処理量情報に基づき所定量の固形処理剤を適時補給する固形処理剤供給制御手段である。３０Ｐは自現機ＡＰに固形処理剤を補給する補給装置である。
【００２９】
図２（ｂ）はネガフィルム現像処理用の自現機ＡＮの構成図である。該自現機ＡＮでは、ネガフィルムｆは、処理液槽である発色現像槽１ＮＡ、漂白槽１ＮＢ、定着槽１ＮＣ，１ＮＤ、安定槽１ＮＥ，１ＮＦ，１ＮＧ内の各処理液（ＣＤ，ＢＦ，ＳＲ１〜３）により処理されたのち乾燥部６で乾燥される。上記発色現像槽１ＮＡ、漂白槽１ＮＢ、定着槽１ＮＤ、安定槽１ＮＧの各処理液槽には、それぞれ固形処理剤を供給する補給装置３０が設けてある。３０Ｎは自現機ＡＮに固形処理剤を補給する補給装置である。なお、前記自現機ＡＰと同じ機能を有する部分には、図２（ａ）と同一符号を付してある。
【００３０】
図３は、図１の自現機ＡＰのＺ−Ｚ断面における処理槽である発色現像槽１Ａと補助タンク（溶解槽）２Ａと補給装置３０の断面図である。漂白定着槽１Ｂおよび安定槽１Ｅもほぼ同一構造をなすから、以下発色現像槽１Ａを代表して説明する。
【００３１】
なお、図には、構成をわかりやすくするために、感光材料を搬送する搬送手段等は省略してある。また、本例においては、固形処理剤として錠剤型固形処理剤Ｊを用いた場合について説明するが、顆粒状固形処理剤にも適用可能である。
【００３２】
感光材料（ｐ又はｆ）を処理する処理槽１Ａは、該処理槽１Ａを形成する仕切壁２１の外側に一体的に設けた補助タンク（溶解槽）２Ａを有する。処理槽１Ａと補助タンク２Ａとは連通窓２１Ａが形成された仕切壁２１により仕切られており、処理液は流通できるようになっている。補助タンク２Ａ内にはフィルタ２２、ヒータ２５、温度センサ２６、液面センサ２７が設けてある。このフィルタ２２の中は、補助タンク２Ａの下方壁を貫通して設けられた循環パイプ２３Ａを介して循環ポンプ２４（循環手段）の吸引側に連通している。前記循環ポンプ２４の吐出側に連通した循環パイプ２３Ｂの他端は処理槽１の外壁を貫通し、該処理槽１に連通している。この様な構成により、循環ポンプ２４が作動すると処理液は補助タンク２Ａから吸い込まれ、処理槽１Ａに吐出されて、処理液は処理槽１Ａ内の処理液と混じり合い、再び補助タンク２Ａへと入り循環を繰り返すことになる。１１はオーバーフロー管、１２は廃液タンクである。
【００３３】
前記補助タンク２Ａに補充水Ｗを供給する補充水供給手段５０は、補充水タンク５１、給水ポンプ５２、送水管５３Ａ，５３Ｂから構成されていて、補充水供給制御手段５４により適時適量の補充水Ｗを補給する。
【００３４】
補給装置３０は、処理量情報検出手段５６、固形処理剤供給制御手段５７（以上図３参照）、錠剤型固形処理剤Ｊを収容する収納容器４０、補給装置３０から構成されている。該補給装置３０はモータＭにより駆動される。自現機ＡＰの上部カバー１０２の上面の一部には、蓋１０４が揺動自在に蝶合されていて、該蓋１０４を図示一点鎖線ａ方向に開放して、前記収納容器４０を装填または交換して錠剤型固形処理剤Ｊの補充を行う。
【００３５】
図４は収納容器４０を構成する各部品の斜視図であり、図５は一部破断面を含む収納容器４０の斜視図であり、図６は（ａ）は一部破断面を含む収納容器４０の平面図、図６（ｂ）は側面図、図６（ｃ）はＡ−Ａ断面拡大図である。
【００３６】
図７（ａ）はネガカラーフィルム現像処理用の自現機ＡＮの各処理槽に補給する固形処理剤（ＪＮ１〜ＪＮ４）を収容する収納容器４０Ｎの正面断面図、図７（ｂ）はカラー印画紙現像処理用の自現機ＡＰの処理槽に補給する固形処理剤（ＪＰ１〜ＪＰ３）を収容する収納容器４０Ｐの正面断面図である。
【００３７】
図８（ａ）は蓋部材（処理剤投入側部材）４２の斜視図、図８（ｂ）〜（ｄ）は蓋部材４２の開閉操作を示す部分断面図である。
【００３８】
収納容器４０Ｎは、カラーネガフィルムの処理、すなわち、発色現像、漂白、定着、安定化の各処理毎に錠剤に固形化した固形処理剤ＪＮ１、ＪＮ２、ＪＮ３、ＪＮ４を収納する収納容器である。収納容器４０Ｐは、カラー印画紙の処理、すなわち、発色現像、漂白定着、安定化の各処理毎に錠剤に固形化した固形処理剤ＪＰ１、ＪＰ２、ＪＰ３を収納する収納容器である。
【００３９】
なお、収納容器４０Ｎは、カラーネガフィルム１００本分を処理することができる量の固形処理剤ＪＮ１〜ＪＮ４を収納するものである（発色現像用の固形処理剤ＪＮ１は１０錠、漂白用の固形処理剤ＪＮ２は１０錠、定着用の固形処理剤ＪＮ３は４０錠、安定化用の固形処理剤ＪＮ４は１錠を収納する）。また、収納容器４０Ｐは、発色現像用の固形処理剤ＪＰ１を２０錠、漂白定着用の固形処理剤ＪＰ２を４０錠、安定化用の固形処理剤ＪＰ３を５錠収納する。
【００４０】
収納容器４０は、先端側（蓋部材４２が設けられる側であり、図６（ａ）において左側）及び後端側（キャップ部材４３が設けられる側であり、図６（ａ）において右側）が開放された中空であって筒状の容器本体４１と、容器本体４１の先端側を覆うことができ開閉可能な蓋部材４と、容器本体４１の後端側を覆うキャップ部材（処理剤非投入側部材）４３とを有している。これら容器本体４１、蓋部材４２、及びキャップ部材４３は、例えば、ＰＥ（ポリエチレン）、ＰＰ（ポリプロピレン）、ＡＢＳ（アクリルブタジエンスチレン）などによって樹脂成形されるが、本実施の形態では、固形処理剤Ｊ１〜Ｊ４の成分を鑑み、ＰＥ或いはＰＰが好ましく用いられ、さらに、収納容器は薄肉深物であるため、ＰＥ、ＰＰ材料は高流動性のものが好ましい。
【００４１】
容器本体４１の内側には、仕切部材として仕切壁４１１Ａ、４１１Ｂ、４１１Ｃ、４１１Ｄが一体的に設けられており、これらの仕切壁４１１（Ａ〜Ｄ）及び容器本体４１の外壁によって、容器本体４１内を、実質的に５つの収納室４１２Ａ、４１２Ｂ、４１２Ｃ、４１２Ｄ、４１２Ｅを構成している。すなわち、これら仕切壁４１１（Ａ〜Ｄ）は、容器本体４１内の上面（図６（ｂ）において上側の面）から底面（図６（ｂ）において下側の面）まで連なった平板状を呈しており、換言すると、上面及び底面と仕切壁４１１（Ａ〜Ｄ）とが結合されており、各収納室４１２（Ａ〜Ｅ）を互いに連通しないように構成されている。さらに、この仕切壁４１１（Ａ〜Ｄ）は、後述する投入開口部４１４Ａ、４１４Ｂ、４１４Ｃ、４１４Ｄより突出するように構成されている。なお、仕切壁４１１Ｂの肉厚は、他の仕切壁４１１Ａ、４１１Ｃ、４１１Ｄの肉厚よりも厚くなっている。また、収納室４１２（Ａ〜Ｅ）の後端側は開放されているが、キャップ部材４３によってその開放されている部分が覆われている。また、収納室４１２Ｅの後端側は開放しないように、容器本体４１の樹脂成形時に形成されている。
【００４２】
各収納室４１２（Ａ〜Ｅ）は、固形処理剤Ｊを縦列状態に収納することができる。これら５つの収納室４１２（Ａ〜Ｅ）のうち４つの収納室４１２Ａ、４１２Ｃ、４１２Ｄ、４１２Ｅに固形処理剤ＪＮ１、ＪＮ２、ＪＮ３、ＪＮ４を収納し、収納室４１２Ｂは固形処理剤Ｊを収納しない収納室（以下、空室ということもある）となっている。これは、現像用の固形処理剤ＪＮ１に、定着用の固形処理剤ＪＮ２の成分が混ざると、現像性能に多大な悪影響を与えるため、空室を設けることにより、収納室４１２Ａと収納室４１２Ｃとの間の距離を設け、固形処理剤ＪＮ２の収納或いは排出時に発生する固形処理剤ＪＮ２の成分を含んだ粉が入り込む（所謂、コンタミ）を防止するためである。
【００４３】
カラー印画紙現像処理用の自現機ＡＰの処理槽に補給する固形処理剤（ＪＰ１〜ＪＰ３）を収容する収納容器４０Ｐは、前記収納容器４０Ｎと同一形状である。収納容器４０Ｐには、図７（ｂ）に示すように、発色現像用の固形処理剤ＪＰ１を収納する収納室４１２Ａと、漂白定着用の固形処理剤ＪＰ２を収納する収納室４１２Ｃととの間に、空室４１２Ｂを設けた。
【００４４】
なお、本実施の形態では、収納室４１２（Ａ〜Ｅ）は、容器本体４１の先端側から後端側までの長さが、固形処理剤Ｊを１０錠分収納できるだけの長さを有している。この場合、収納室４１２（Ａ〜Ｅ）は、定着用の固形処理剤ＪＮ３を４０錠も収納するため、その内部をさらに４つの分室に区切るように、３つの区切壁４１３が設けられている。この区切壁４１３は、固形処理剤ＪＮ３と接触することが可能な長さだけ容器本体４１内の上面及び底面から突出するように設けられ（上面から底面まで連なってはいない）、固形処理剤ＪＮ３を縦列で収納可能な程度の区切りでよいが、仕切壁４１１（Ａ〜Ｄ）と同様に上面から底面まで連なった平板状であってもよい。また、この区切壁４１３は、投入開口部４１４（Ａ〜Ｅ）から突出しないように設けているが、突出するように設けてもよい。また、収納室１２５は、固形処理剤ＪＮを１錠分収納する長さを有していればよいが、固形処理剤ＪＮを３錠分収納できるだけの長さを有している。これは、後段において説明するが、本実施の形態の収納容器は、カラーネガフィルムを処理するための固形処理剤ＪＮを収納するものであるが、カラーペーパーを処理するための固形処理剤ＪＰを収納する収納容器４０Ｐと兼用するために、固形処理剤ＪＮを５錠分収納するだけの長さを有している。
【００４５】
また、各収納室４１２（Ａ〜Ｅ）内には、各収納室４１２（Ａ〜Ｅ）の内面との接触面積を減らし、固形処理剤ＪＮの収納或いは排出を容易に行い、かつ、収納している固形処理剤ＪＮが各収納室４１２（Ａ〜Ｅ）の内面に密着を防ぐために、容器本体４１内の上面、底面、各仕切壁４１１（Ａ〜Ｄ）、及び、区切壁４１３それぞれに、容器本体４１の先端側から後端側へと伸びるリブ（符号なし）が設けられている。
【００４６】
これら各収納室４１２（Ａ〜Ｅ）は、容器本体４１の先端側に投入開口部４１４（Ａ〜Ｅ）が設けられており、この投入開口部４１４（Ａ〜Ｅ）から固形処理剤ＪＮを収納或いは排出することができる。また、これら投入開口部４１４（Ａ〜Ｅ）の周囲には（容器本体４１の先端側）、投入開口部４１４（Ａ〜Ｅ）を囲むように平面状のフランジ部４１５が設けられている。このフランジ部４１５の両側端部４１５Ａ，４１５Ｂは、後述する蓋部材４２の係合部４２１Ａ，４２１Ｂと係合するよう構成されている。さらに、このフランジ部４１５の上端部には後述する蓋部材４２の第１係止部４２６を係止する被係止部としての係止切欠４１６が設けられている。また、収納室４１２（Ａ〜Ｅ）の後端側の開放に対しては、後述するキャップ部材４３が嵌合するように構成されている。
【００４７】
蓋部材４２は、投入開口部４１４（Ａ〜Ｅ）に対してスライドすることにより、投入開口部４１４（Ａ〜Ｅ）を覆い、かつ、開閉することが可能な部材である。蓋部材４２をスライドさせるために、容器本体４１のフランジ部４１５の両側端部４１５Ａ，４１５Ｂと係合するコの字状の係合部４２１が、蓋部材４２の両側端側（スライドする方向と直交する方向における両端側）に設けられている。このコの字状の係合部４２１は、上端側（閉める方向に対して上流端側）より下端側（閉める方向に対して下流端側）の方が、コの字状の間隙が広がるように構成されている。さらに、係合部４２１には、蓋部材４２をフランジ部４１５の両側端部４１５Ａ，４１５Ｂに係合させる際の作業を容易に行わせるため、蓋部材４２のスライド方向の一端側（本実施の形態では、下端側）において切り欠き４２８が設けられている（図８（ａ）参照）。また、この蓋部材４２が投入開口部４１４（Ａ〜Ｅ）と対向する面には、仕切壁４１１（Ａ〜Ｄ）の投入開口部４１４（Ａ〜Ｅ）から突出した部分と嵌合する嵌合部である溝部４２２（Ａ〜Ｄ）が設けられている。さらに、蓋部材４２が投入開口部４１４（Ａ〜Ｅ）と対向する面には、蓋部材４２が下がり過ぎずに投入開口部４１４（Ａ〜Ｅ）を覆う位置で停止させるために、蓋部材４２の上端に、フランジ部４１５の係止切欠４１６によって係止される第１係止部４２６と、蓋部材４２が容易に上がらない（開かない）ようにフランジ部４１５の下端面（符号なし）によって係止される第２係止部４２７とが設けられている。なお、蓋部材４２の両側面に設けられた操作部材４２９は、蓋部材４２を上方へスライドさせる際に、第２係止部４２７によるフランジ部４１５の下端面への係止状態を解除するため、さらに、蓋部材４２をスライドさせるための操作が行われるために設けられている。
【００４８】
キャップ部材４３は、開閉されている容器本体４１の後端側を覆う、すなわち、収納室４１２（Ａ〜Ｅ）の後端側を覆う部材である。収納室４１２（Ａ〜Ｅ）に収納される固形処理剤ＪＮから生じる粉塵などが他の固形処理剤を収納する収納室に侵入しない（所謂コンタミ防止）ために、容器本体４１の後端に対向するキャップ部材４３の内壁には、仕切壁４１１（Ａ〜Ｄ）と嵌合する嵌合溝４３１〜４３３が設けられている。さらに、このキャップ部材４３の内壁の周囲には、収納室４１２（Ａ〜Ｅ）内の固形処理剤ＪＮから生じる粉塵などが収納容器４０から出ないように、容器本体４１の外壁（この場合は容器本体４１の後端側であるので、収納室４１２（Ａ〜Ｅ）の周囲である）と嵌合する嵌合溝４３４が設けられている。なお、図１に示すように、各収納室４１２（Ａ〜Ｅ）それぞれに相当するキャップ部材４３の内面に突起（符号なし）が設けることにより、キャップ部材４３の内面と固形処理剤ＪＮとが密着することを防止している。
【００４９】
次に、この収納容器４０の組み立て及び固形処理剤ＪＮの収納について説明する。先ず、キャップ部材４３の内面の嵌合溝４３１（Ａ〜Ｃ）が、それぞれ容器本体４１の仕切壁４１１（Ａ〜Ｄ）と容器本体４１の外壁とを嵌合させるようにして、容器本体４１の後端側にキャップ部材４３を取り付け、開放されていた容器本体４１の後端側を覆う。このとき、キャップ部材４３と容器本体４１とに跨ってシール部材３５を捲着させることにより、容器本体４１の後端側から固形処理剤ＪＮの粉塵が外部に漏れ出すことを完全に防止している。次いで、発色現像用の固形処理剤ＪＮ１を収納室４１２Ａに１０錠、漂白用の固形処理剤ＪＮ２を収納室４１２Ｃに１０錠、定着用の固形処理剤ＪＮ３を４列の収納室４１２Ｄに４０錠（各分室に１０錠ずつ）、安定化用の固形処理剤ＪＮ４を収納室４１２Ｅに１錠を、それぞれ投入開口部４１４（Ａ〜Ｅ）から縦列に収納する。
【００５０】
そして、蓋部材４２の係合部４２１Ａ，４２１Ｂを容器本体４１のフランジ部４１５の両側端部４１５Ａ，４１５Ｂに係合させ、案内させながら、蓋部材４２を容器本体４１の上方からスライドさせることにより、蓋部材４２が投入開口部４１４（Ａ〜Ｅ）を覆う。このとき、蓋部材４２の溝部４２２（Ａ〜Ｄ）は、仕切壁４１１（Ａ〜Ｄ）の投入開口部４１４（Ａ〜Ｅ）より突出した部分と嵌合しながら蓋部材４２がスライドし、蓋部材４２が投入開口部４１４（Ａ〜Ｅ）を覆ったときには溝部４２２（Ａ〜Ｄ）が仕切壁４１１（Ａ〜Ｄ）の突出した部分と嵌合している状態を維持している。なお、このような蓋部材４２をスライドさせるときには、蓋部材４２の両側面に設けられた操作部材４２９を操作することにより行われる。
【００５１】
この蓋部材４２の取り付けについて、図８（ｂ）、（ｃ）で説明する。蓋部材４２はフランジ部４１５の面に対して傾いた状態で、フランジ部４１５の上端側に押し当てる。このとき、コの字状の係合部４２１Ａ，４２１Ｂには切り欠き４２８が設けられているので、この切り欠き４２８の部分を押し当てるようにする。そして、蓋部材４２を立てながら下方向へ、係合部をフランジ部４１５の両側端部４１５Ａ，４１５Ｂに係合、案内させながらスライドさせる。このように、コの字状の係合部４２１Ａ，４２１Ｂに切り欠き４２８を設けることにより、狭い間隙しか有していない係合部４２１Ａ，４２１Ｂであっても、係合部４２１Ａ，４２１Ｂと両側端部４１５Ａ，４１５Ｂとを掛合させる際の空間を広げているので、蓋部材４２の取り付け作業を容易に行うことができる。特に、本実施の形態では、係合部４２１のコの字状の間隙を上端側より下端側の方が広がるように構成しているので、さらに取り付け作業の容易化を図ることができる。
【００５２】
そして、蓋部材４２が投入開口部４１４（Ａ〜Ｅ）を完全に覆ったとき、蓋部材４２の第１係止部４２６がフランジ部４１５の係止切欠４１６によって係止されることにより、これ以上下方向にスライドできないようになる。さらにこのとき、蓋部材４２の第２係止部４２７がフランジ部４１５の下端面に係止されることにより、誤って蓋部材４２が上方向にスライドしないように、所謂、ロック状態にしている。
【００５３】
固形処理剤ＪＮが収納された収納容器（容器本体４１の外壁の上面側）にメーカー名や収納される固形処理剤Ｊの種類を表すラベルが粘着される。このラベルは、収納容器４０のリサイクルなどを考慮して、容器本体４１（好ましくは、さらに蓋部材４２及びキャップ部材４３）と同じ材質とする。すなわち、ラベル４４が粘着される部材である容器本体４１とラベル４４とを同じ材質とすることで、産業廃棄物として廃棄されることなくリサイクルすることができ、しかも、リサイクルする際にはこれらを剥がすことなく利用でき、リサイクル作業の効率化を図ることができる。
【００５４】
次に、収納容器４０から固形処理剤ＪＮの排出について説明する。この場合、蓋部材４２を上方向へスライドさせればよいが、第２係止部４２７がフランジ部４１５の下端面に係止されているので、直上方向へスライドできない。そのために、図８（ｃ）に示すように、操作部材４２９を一旦先端側の方向（矢示の方向）へ押すことにより、蓋部材４２を撓ませて第２係止部４２７と下端面との係止状態を解除する。このとき、係合部４２１のコの字状の間隙を上端側より下端側の方が広がるように構成しているので、この解除を容易に行うことができる。そして、第２係止部４２７と下端面との係止状態を解除した状態で、操作部材４２９を上方向へ押し上げることにより、蓋部材４２を上方向へスライドさせて、投入開口部４１４（Ａ〜Ｅ）を開放し、投入開口部４１４（Ａ〜Ｅ）から各固形処理剤ＪＮ１〜ＪＮ４を排出する。
【００５５】
このように、各収納室４１２Ａ，４１２Ｃ，４１２Ｄ，４１２Ｅに固形処理剤ＪＮ１〜ＪＮ４を収納している状態のときには、仕切壁４１１（Ａ〜Ｄ）の投入開口部４１４（Ａ〜Ｅ）より突出している部分と、蓋部材４２の溝部４２２（Ａ〜Ｄ）とが、嵌合しているので、例えば、収納容器４０の運搬等で収納している固形処理剤ＪＮから粉が発生したとしても、嵌合部分で遮断され、隣接する収納室に粉が入り込むことがなく、コンタミを防止することができる。なお、全ての収納室４１２（Ａ〜Ｅ）の間の仕切壁４１１（Ａ〜Ｄ）に、投入開口部４１４（Ａ〜Ｅ）より突出する部分を設けたが、コンタミで処理性能に大きな支障を来す発色現像用に、漂白用或いは定着用の粉が入ることがないように、少なくとも、発色現像用の固形処理剤ＪＮ１を収納する収納室４１２Ａと、漂白用の固形処理剤ＪＮ２を収納する収納室４１２Ｃとの間の仕切壁４１１Ａ（あるいは、空室４１２Ｂを設けているので仕切壁４１１Ｂ）に、投入開口部４１４Ａ、４１４Ｃより突出する部分を設ければよい。
【００５６】
また、漂白用の固形処理剤ＪＮ２を収納する収納室４１２Ｃの投入開口部４１４Ｃを、該投入開口部４１４Ｃの一方側に隣接した発色現像用（異なる種類）の固形処理剤ＪＮ１を収納する収納室４１２Ａの投入開口部４１４Ａまでの距離が、他方に隣接した定着用（異なる種類）の固形処理剤ＪＮ３を収納する収納室４１２Ｄの投入開口部４１４Ｄまでの距離よりも長くなるように配置したので、コンタミを防止し、しかも、収納容器４０をコンパクトに構成することができる。また、漂白用の固形処理剤ＪＮ２を収納する収納室４１２Ｃと、該収納室４１２Ｃに隣接した発色現像用（異なる種類）の固形処理剤ＪＮ１を収納する収納室４１２Ａとの間に、固形処理剤を収容しない空室４１２Ｂが設けられたので、収納室４１２Ａと収納室４１２Ｃとの間の距離を長くとることができ、コンタミを防止することができる。
【００５７】
また、キャップ部材４３の内面に設けられた嵌合溝４３１Ａ〜４３１Ｃが、仕切壁４１１（Ａ〜Ｄ）、さらに、容器本体４１の外壁と嵌合し、容器本体４１の後端側の開放を覆うので、容器本体４１の後端側からのコンタミ、さらに、外部への粉塵の排出を防止できる。
【００５８】
収納容器４０は、蓋部材４２を下向きにして、補給装置３０の装着部にほぼ垂直に取り付けられる。
【００５９】
容器本体４１に外壁両側面には、収納容器４０を補給装置３０に装着して係止するための突起部材（支持ピン）４１８、４１９が一体に突設されている。蓋部材４２に近い方の２個の突起部材４１８は、補給装置３０の下方の装着部に設けたカム溝に嵌入され、位置決め固定される。この収納容器４０の補給装置３０への装着時に、蓋部材４２は、図８に示すように、開放状態となる。この収納容器４０の装着時に、キャップ部材４３に近い方の２個の突起部材４１９は、補給装置３０の上方の上支持部３１０に設けたガイド溝部３１２Ａに嵌入され、保持凹部３１２Ｂにおいて位置決め固定される。
【００６０】
図９は、収納容器４０を補給装置３０に装着する操作を示す斜視図、図１０は収納容器４０を補給装置３０に装着した補給状態を示す正面図である。
【００６１】
補給装置３０は、収納容器４０のキャップ部材４３側を支持する上支持部（押圧側装填ユニット）３１０と、収納容器４０の蓋部材４２側を支持し収納容器４０内の複数の固形処理剤を受容する装着部（投入側装填ユニット）３２０と、受容した固形処理剤を複数の処理液槽に投入する処理剤投入部３３０とから成る。
【００６２】
上支持部３１０は、支柱３１１、支持部材３１２、押圧手段（セット方向付勢手段）３１３とから成る。支柱３１１は基板３００に直立固定されている。支持部材３１２は支柱３１１の上部に固定されている。支持部材３１２の内側には、収納容器４０の突起部材４１９を導入可能にするガイド溝部３１２Ａと、ガイド溝部３１２Ａの末端の保持凹部３１２Ｂとが穿設されている。押圧部材３１３は、収納容器４０が上支持部３１０に装着されたとき、収納容器４０の上部のキャップ部材４３を押圧する。押圧部材３１３は、板バネまたはコイルバネに支持されたローラ、または板バネ等の付勢手段である。
【００６３】
装着部３２０の上本体（上ハウジング）３２１には、収納容器４０内の複数の固形処理剤を受容する投入ガイド開口部３２２が穿設されている。投入ガイド開口部３２２は複数の仕切壁（リブ）３２３により仕切られて、複数の開口分室を形成している。これらの複数の開口分室は、前記の容器本体４１の収納室４１２（Ａ〜Ｅ）にそれぞれ対応している。
【００６４】
図１２に示すように、複数の仕切壁３２３のうち、特に、容器本体４１の収納室４１２Ｂと４１２Ｃとを仕切る仕切壁４１１Ｂに対向する仕切壁３２３Ｂは、他の仕切壁４１１より容器本体４１側に突出していて、収納容器４０を装着部３２０に装填したとき、容器本体４１の仕切壁４１１Ｂの先端部に近接又は当接している。このように仕切壁３２３Ｂと仕切壁４１１Ｂを近接又は当接することにより、上方の容器本体４１の収納室４１２（Ａ〜Ｅ）のうち特に収納室４１２Ｂと４１２Ｃ内に収納された固形処理剤の粉末や小塊が、投入ガイド開口部３２２の対応する開口分室に隣接する開口分室内に混入することが防止される（コンタミを防止）。
【００６５】
投入ガイド開口部３２２の上面の周辺には、収納容器パッキン３２７が貼着されている。収納容器４０を装填部３２０に装填した状態では、収納容器パッキン３２７は容器本体４１のフランジ部４１５に密接して、開口状態の収納容器４０内に外気が侵入することを防止する。このように気密化することにより、外気、特に高湿な外気の収納容器４０内への侵入による固形処理剤の膨潤が防止される。
【００６６】
また、上本体３２１の両側壁の内側には、溝カム部３２４が穿設されている。溝カム部３２４には、収納容器４０を装着部３２０に装着操作するとき、収納容器４０の突起部４１８が挿入、嵌合し、蓋部材４２を移動させて開放可能にする。また、収納容器４０を装着部３２０から装脱操作するとき、収納容器４０の開口部を蓋部材４２により閉止させる。
【００６７】
装着部３２０に収納容器４０を装着させる操作過程を以下に示す。
【００６８】
（１）蓋部材４２が下側になるようにして収納容器４０を把持し、突起部４１９を支持部材３１２の溝部３１２Ａに沿わせて斜め下方から斜め上向き方向に挿入する（図９の▲１▼方向）。左右２箇所に設けられた溝部３１２Ａは、溝幅が異なるように穿設され、左右２箇所の突起部４１９の各外径も、溝部３１２Ａに合致するように設定されているから、収納容器４０を逆向きに挿入することはできないようになっている（誤装填防止）。
【００６９】
（２）突起部４１９を凹部３１２Ｂに嵌装させたのち、収納容器４０を凹部３１２Ｂを中心にして揺動させると（図９の▲２▼方向）、蓋部材４２の両端の操作部材４２９が係止部材に当接して進行が妨げられて停止し、さらに収納容器４０を移動させると、容器本体４１のみが移動して、投入開口部４１４（Ａ〜Ｅ）が次第に開放される。
【００７０】
（３）容器本体４１のフランジ部４１５がストッパに当接すると、収納容器４０の蓋部材４２の近傍の突起部４１８が溝カム部３２４に嵌入して、凹部３２５に落ち込み、板バネ（ガイド方向付勢手段）３２６により押圧された状態で停止する。このとき投入開口部４１４（Ａ〜Ｅ）は全開状態になり、容器本体４１内の固形処理剤Ｊは、装着部３２０の開口部３２２内に落下する。
【００７１】
図１１は装着部３２０及び処理剤投入部３３０の回転軸直角方向の断面図、図１２は装着部３２０及び処理剤投入部３３０の回転軸平行方向の縦断面図である。
【００７２】
装着部３２０の下方の処理剤投入部３３０は、下本体（下ハウジング）３３１、ドラム部材３３３及び駆動手段等から構成されている。下本体３３１の下部にはシャッター手段３４０が揺動可能に支持されている。
【００７３】
下本体３３１の下方には、固形処理剤Ｊを投下して補給する開口部（処理剤投入口）３３２が穿設されている。開口部３３２は補給時以外はシャッター手段３４０により閉鎖されている。シャッター部材３４１は下本体３３１の下面の円筒面に沿って揺動される。シャッター部材３４１の内側の凹部には、押圧部材３４２、弾性部材３４３、バネ３４４が収容されている。押圧部材３４２の上面に貼着された弾性部材３４３は、バネ３４４により付勢されて下本体３３１の下方の開口部３３２を圧着、封鎖する。シャッター部材３４１の他方には、複数の仕切壁を有する貫通する開口部３４５が穿設されていて、固形処理剤Ｊを通過、落下可能にしている。開口部３４５には、８列の固形処理剤を整列して落下させるための仕切り壁が設けてある。
【００７４】
シャッター部材３４１は揺動板３４６と一体化されている。揺動板３４６は後述のドラム部材３３３を駆動回転させる回転軸に回転可能に支持され、他端はクランク３４７に接続している。クランク３４７は駆動源により回転する偏心円板３４８に接続して偏心移動し、揺動板３４６及びシャッター部材３４１を揺動させる。このシャッター部材３４１の揺動により、開口部３３２は開閉される。
【００７５】
シャッター部材３４１は偏心揺動機構により、固形処理剤補給時にのみ開口部３３２を開放状態になし、補給時以外には、開口部３３２を閉止状態に保持する。補給時以外に、シャッター部材３４１により開口部３３２を閉止状態にすることにより、補給装置３０の下方の処理槽から上昇する処理液蒸気の装置本体内への進入を防止し、防湿効果を高める。
【００７６】
下本体３３１の両側面には、それぞれ回転軸３３４が軸受３３６を介して回転可能に支持されている。回転軸３３４の一方の軸端には、歯車３３５が固定されている。歯車３３５は図１０に示す駆動源及び駆動伝達歯車列により回転される。
【００７７】
各回転軸３３４の内側には、切り欠き円板状の凸カップリング部３３４Ｋが突出している。この凸カップリング部３３４Ｋはドラム部材３３３の両端面に穿設された凹カップリング部３３３Ｋに嵌合して、ドラム部材３３３に駆動回転を伝達する。
【００７８】
ドラム部材３３３は複数（図示８個）の円筒部から成る。これらの円筒部は中心部のボスと半径方向のピンとにより位置決めされて一体化される。
【００７９】
図１３（ａ）はドラム部材３３３の側面図、図１３（ｂ）はドラム部材３３３の斜視図である。図１４はドラム部材３３３のＡ−Ａ，Ｂ−Ｂ，Ｃ−Ｃ，Ｄ−Ｄ，Ｅ−Ｅ，Ｆ−Ｆ，Ｇ−Ｇ，Ｈ−Ｈ各断面図である。
【００８０】
ドラム部材３３３には、収納容器４０の８列の分室に対応して、８列の円筒部材が角度位相をずらせて設けてある。各円筒部材には、１個の固形処理剤Ｊを受容可能な固形処理剤受容部（ポケット部）３３３Ａ，３３３Ｂ，３３３Ｃ，３３３Ｄ，３３３Ｅ，３３３Ｆ，３３３Ｇ，３３３Ｈが回転方向に角度位相をずらせて穿設されている。
【００８１】
自現機ＡＮの補給装置３０Ｎ内に装着されるドラム部材３３３の８列の円筒部材のうち、第１列のポケット部３３３Ａには、発色現像用の固形処理剤ＪＮ１が投入される。第２列のポケット部３３３Ｂは空室、第３列のポケット部３３３Ｃには、漂白用の固形処理剤ＪＮ２が投入される。第４〜７列のポケット部部３３３Ｄ，３３３Ｅ，３３３Ｆ，３３３Ｇには、定着用の固形処理剤ＪＮ３が投入される。第８列のポケット部３３３Ｈには、安定化用の固形処理剤ＪＮ４が投入される。
【００８２】
自現機ＡＰの補給装置３０Ｐ内に装着されるドラム部材３３３の８列の円筒部材のうち、第１列及び第２列のポケット部３３３Ａ，３３３Ｂには、発色現像用の固形処理剤ＪＰ１が投入される。第３列のポケット部３３３Ｃは空室、第４〜７列のポケット部３３３Ｄ，３３３Ｅ，３３３Ｆ，３３３Ｇには、漂白定着用の固形処理剤ＪＰ２が投入される。第８列のポケット部３３３Ｈには、安定化用の固形処理剤ＪＰ３が投入される。
【００８３】
これらの固形処理剤のうち、特にコンタミを防止しなければならない固形処理剤ＪＮ１とＪＮ２とは、空室３３３Ｂを介して離間しているが、各ポケット部を仕切る仕切り壁部の先端部と、上ハウジング３２１、下ハウジング３３１の内壁との隙間から固形処理剤の粉末が侵入して混合する恐れがある。
【００８４】
同様にして、特にコンタミを防止しなければならない固形処理剤ＪＰ１とＪＰＮ２とは、空室３３３Ｃを介して離間しているが、各ポケット部を仕切る仕切り壁部の先端部と、上ハウジング３２１、下ハウジング３３１の内壁との隙間から固形処理剤の粉末が侵入して混合する恐れがある。
【００８５】
収納容器４０Ｎと収納容器４０Ｐとは同一形状であるから、第２列のポケット部３３３Ｂと第３列のポケット部３３３Ｃとの間の仕切り壁の先端部にジグザグ状の突起部３３３Ｚを形成し、、上ハウジング３２１及び下ハウジング３３１の内壁の先端部に突起部３３３Ｚに係合する突起部を形成して、凹凸係合の迷路構造に構成した。この凹凸係合と空室の存在とにより、固形処理剤ＪＮ１とＪＮ２との混入、又は固形処理剤ＪＰ１とＪＰ２との混入が確実に防止され、かつ、ドラム部材３３３の回転は支障なく行われる。なお、上記の凹凸係合の迷路構造は、他の仕切り壁にも設けることが可能である。
【００８６】
また、ドラム部材３３３の８列のポケット部３３３（Ａ〜Ｈ）を仕切るフランジ部の外周面と、上ハウジング３２１、下ハウジング３３１の内壁との間に、微小な隙間を設けた。この隙間は、０．２〜０．３ｍｍに設定されている。この隙間が少ないと、この隙間に混入した固形処理剤の粉末がドラム部材３３３の回転を阻害する。この隙間が多いと、隣接するポケット部から固形処理剤の粉末が侵入する。
【００８７】
図１５及び図１６はドラム部材３３３のポケット部３３３Ａから固形処理剤Ｊが投下される過程を示す補給装置３０の断面図である。即ち、図１５は収納容器４０内の固形処理剤Ｊをドラム部材３３３のポケット部３３３Ａに投入した状態の補給装置３０の断面図であり、図１６はドラム部材３３３のポケット部３３３Ａから固形処理剤Ｊを処理液槽に投下する状態の補給装置３０の断面図である。
【００８８】
固形処理剤Ｊの補給開始信号により、駆動手段により図１０に示す偏心円板３４８が回転され、クランク３４７が揺動板３４６を回転軸３３４を中心にして揺動運動させる。揺動板３４６と一体をなすシャッター部材３４１は揺動されて、シャッター部材３４１の開口部３４５が下ハウジング３３１の下部の開口部（処理剤投下口）３３２に合致したとき、シャッター部材３４１の揺動が停止する。
【００８９】
シャッター部材３４１の揺動運動終了後に、ドラム部材３３３が他の駆動手段により図示の矢印方向に回転され、固形処理剤がドラム３３３内に受容されて回転搬送され、開口部３３２とシャッター部材３４１の開口部３４５とを通過して落下し、下方の処理槽内に補給される。
【００９０】
ドラム部材３３３の回転による固形処理剤補給過程を以下に説明する。
【００９１】
（１）収納容器４０が補給装置３０の装着部に装着されて、前記蓋部材４２が自動的に開けられて、投入開口部４１４（Ａ〜Ｅ）を開放状態にされたとき、容器本体４１内の先頭の固形処理剤ＪＮ１〜ＪＮ４は、停止状態のドラム部材３３３の外周面に当接して初期の停止状態に保持される。
【００９２】
（２）ドラム部材３３３の回転開始により、先ず、容器本体４１内の投入開口部４１４（Ａ〜Ｅ）から、第１列のポケット部３３３Ａに固形処理剤ＪＮ１が、次いで第３列のポケット部３３３Ｃに固形処理剤ＪＮ２が、さらに第４列ないし第７列の各ポケット部部３３３Ｄ〜３３３Ｇに固形処理剤ＪＮ３が、さらに第８列のポケット部３３３Ｈに固形処理剤ＪＮ４が、それぞれ順次投入される。
【００９３】
（３）引き続き、ドラム部材３３３の回転により、ポケット部３３３Ａ，３３３Ｂ，３３３Ｃ，３３３Ｄ〜３３３Ｇ，３３３Ｈが下本体３３１の下方の開口部３３２に一致した位置に達したとき、前記ポケット部にそれぞれ収容された４種の固形処理剤ＪＮＩ，ＪＮ２，ＪＮ３，ＪＮ４が順次落下して、下方の開口部３３２及びシャッター部材３４１の開口部３４５を通過して、下方の処理槽内に補給される。
【００９４】
（４）このようにして、ドラム部材３３３の１回転により、発色現像用固形処理剤ＪＮ１（１錠）、漂白用固形処理剤ＪＮ２（１錠）、定着用固形処理剤ＪＮ３（４錠）、安定用固形処理剤ＪＮ４（１錠）が補給される。
【００９５】
なお、上述の実施の形態は、錠剤型固形処理剤の補給装置であり、収納容器内の固形処理剤をドラム部材３３３の１回転で所定量を供給し、さらに収納容器を一括交換可能にしたものであるが、本発明の固形処理剤補給装置は、複数の小粒子状固形処理剤や顆粒状固形処理剤の定量補給にも適用可能である。
【００９６】
【発明の効果】
以上説明したように、本発明の感光材料処理用固形処理剤補給装置は、以下の優れた効果を奏する。
【００９７】
（１）処理剤投入部は、投入側装填ユニットと押圧側装填ユニットをハウジングに固定する構造であり、収納容器を支点にして回動して装填するために、処理剤投入部の耐久性が向上する（請求項１）。
【００９８】
（２）収納容器の倒れが防止され、かつ収納容器の密着性が向上する（請求項２）。
【００９９】
（３）ネガフィルム用とペーパー用の収納容器の誤装填、あるいは収納容器の装填方向の誤挿入はガイド溝部と支持ピンにより防止することができる（請求項３）。
【０１００】
（４）収納容器を装着部に装填するとき、付勢手段により収納容器を投入開口部に圧接することにより、収納容器と装着部は確実に密接されて定置される（請求項４）。
【０１０１】
（５）処理槽側からのガスが収納容器内に侵入することを防止され、固形処理剤が膨潤しない（請求項５）。
【０１０２】
（４）収納容器内の固形処理剤に粉末や小塊等が、対向する処理剤投入口に隣接する処理剤投入口に混入して、処理液の処理性能低下することを防止する（請求項６）。
【図面の簡単な説明】
【図１】本発明に係る感光材料処理装置の正面側全体構成図及び平面構成図。
【図２】自動現像機の構成図。
【図３】自動現像機の断面図。
【図４】収納容器を構成する各部品の斜視図。
【図５】一部破断面を含む収納容器の斜視図。
【図６】一部破断面を含む収納容器の平面図、側面図、Ａ−Ａ断面拡大図。
【図７】ネガカラーフィルム現像処理用の固形処理剤収納容器の正面断面図、及びカラー印画紙現像処理用の固形処理剤収納容器の正面断面図。
【図８】蓋部材の斜視図、蓋部材の開閉操作を示す部分断面図。
【図９】収納容器を補給装置に装着する操作を示す斜視図。
【図１０】収納容器を補給装置に装着した補給状態を示す正面図。
【図１１】装着部及び処理剤投入部の回転軸直角方向の断面図。
【図１２】装着部及び処理剤投入部の回転軸平行方向の縦断面図。
【図１３】ドラム部材の側面図、及びドラム部材の斜視図。
【図１４】ドラム部材の各断面図。
【図１５】収納容器内の固形処理剤をドラム部材のポケット部に投入した状態の補給装置の断面図。
【図１６】ドラム部材のポケット部から固形処理剤を処理液槽に投下する状態の補給装置の断面図。
【符号の説明】
１，１Ａ，１Ｂ，１Ｃ，１Ｄ，１Ｅ  処理槽
２，２Ａ，２Ｂ，２Ｃ，２Ｄ，２Ｅ  補助タンク（溶解槽）
３０，３０Ｎ，３０Ｐ  固形処理剤補給装置（補給装置）
３１０  上支持部（押圧側装填ユニット）
３１１  支柱
３１２  支持部材
３２０  装着部（投入側装填ユニット）
３２１  上本体（上ハウジング）
３２２，３３２，３４５  開口部
３２３，４１１  仕切壁
３２７  収納容器パッキン（パッキン）
３３０  処理剤投入部
３３１  下本体（下ハウジング）
３３２  開口部（処理剤投入口）
３３３  ドラム部材
３３３（Ａ〜Ｈ）  固形処理剤受容部（ポケット部）
３３４  回転軸
３４０  シャッター手段
３４１  シャッター部材
３４５  開口部
４０，４０Ｎ，４０Ｐ  固形処理剤収納容器（収納容器）
４１  容器本体
４１５  フランジ部
４２  蓋部材（処理剤投入側部材）
４３  キャップ部材（処理剤非投入側部材）
ＡＰ，ＡＮ  自動現像機
Ｊ，ＪＮ，ＪＰ，ＪＮ１〜ＪＮ４，ＪＰ１〜ＪＰ３  固形処理剤
【図１】
0003956465.tif 000002
【図２】
0003956465.tif 000003
【図３】
0003956465.tif 000004
【図４】
0003956465.tif 000005
【図５】
0003956465.tif 000006
【図６】
0003956465.tif 000007
【図７】
0003956465.tif 000008
【図８】
0003956465.tif 000009
【図９】
0003956465.tif 000010
【図１０】
0003956465.tif 000011
【図１１】
0003956465.tif 000012
【図１２】
0003956465.tif 000013
【図１３】
0003956465.tif 000014
【図１４】
0003956465.tif 000015
【図１５】
0003956465.tif 000016
【図１６】
0003956465.tif 000017